(57)【要約】      （修正有）【課題】各種の書類を内部に収納でき、表裏両面から見てもそれぞれに印刷模様が施されており、特に上部がやや小さく形成される一面側から見た場合に、裏面側に位置する他面シートの突出部分が見えるため、視覚的興趣に富んだものとなるクリアファイルを提供する。【解決手段】透明又は半透明のプラスチックフィルムで形成される一面シート２と他面シート４とを重ねて、下辺と左右いずれかの側辺を閉塞すると共に、上辺と左右いずれかの側辺を連続した開口部とし、該開口部から書類を収納できるようにしたクリアファイル１において、他面シート４の上部５が一面側から突出して見えるように大きく形成し、各面のシート２，４の内面には多色印刷の上から隠蔽性を有する地印刷が施され、前記突出部分５には地印刷の上に多色印刷が施されていることを特徴とする。【選択図】図１
0003144817.tif 000002
【実用新案登録請求の範囲】
【請求項１】
透明又は半透明のプラスチックフィルムで形成される一面シートと他面シートとを重ねて、下辺と左右いずれかの側辺を閉塞すると共に、上辺と左右いずれかの側辺を連続した開口部とし、該開口部から書類を収納できるようにしたクリアファイルにおいて、
他面シートの上部が一面側から突出して見えるように大きく形成し、各面のシートの内面には多色印刷の上から隠蔽性を有する地印刷が施され、前記突出部分には地印刷の上に多色印刷が施されていることを特徴とするクリアファイル。
【考案の詳細な説明】
【技術分野】
【０００１】
本考案は、各種の書類を内部に収納でき、表裏両面から見てもそれぞれに印刷模様が施されており、特に上部がやや小さく形成される一面側から見た場合に、裏面側に位置する他面シートの突出部分が見えるため、視覚的興趣に富んだものとなるクリアファイルに関する。
【背景技術】
【０００２】
従来、クリアファイルは、透明又は半透明のプラスチックフィルムで形成される一面シートと他面シートとを重ねて、下辺と左右いずれかの側辺を閉塞すると共に、上辺と左右いずれかの側辺を連続した開口部とし、該開口部から書類を収納できるようにした構成である。
【０００３】
このクリアファイルに装飾性を持たすためには、各面のシートには、裏印刷と称される手法が施されている。この手法は、表面側に印刷を施す通常の（表）印刷に対し、透明なフィルムの裏面側に印刷を施して表面側から見るものである。すなわちこの裏印刷では、透明フィルムが表面に位置するため、摩擦に強く、オーバーコートも必要としないという利点がある。具体的には、その内面側に、多色印刷がなされた上から例えば白色系などの隠蔽性を有する地印刷が施されている。
そして、このクリアファイルは、一面側から見ても、他面側から見ても、それぞれに施された印刷模様を楽しむことができる。
【考案の開示】
【考案が解決しようとする課題】
【０００４】
しかしながら、前記構成のクリアファイルは、一面側と他面側とがそれぞれに独立した印刷模様を楽しむものであるため、より視覚的興趣に富むものが求められていた。
そこで、本考案者らは、上部がやや小さく形成される一面側から見た場合に、裏面側に位置する他面シートの突出部分が見えるため、視覚的興趣に富んだクリアファイルを提案することを目的とする。
【課題を解決するための手段】
【０００５】
本考案は、上記に鑑み提案されたもので、透明又は半透明のプラスチックフィルムで形成される一面シートと他面シートとを重ねて、下辺と左右いずれかの側辺を閉塞すると共に、上辺と左右いずれかの側辺を連続した開口部とし、該開口部から書類を収納できるようにしたクリアファイルにおいて、他面シートの上部が一面側から突出して見えるように大きく形成し、各面のシートの内面には多色印刷の上から隠蔽性を有する地印刷が施され、前記突出部分には地印刷の上に多色印刷が施されていることを特徴とするクリアファイルに関するものである。
【０００６】
［作用］
本考案のクリアファイルは、他面側から見た場合には、通常のクリアファイルと同様であるが、一面側から見た場合には、裏面側に位置する他面シートの突出部分の印刷模様が見える。そのため、このクリアファイルに、書類を収納した状態から、書類を抜き出した途端に、裏面側の突出部分の印刷模様が急に現れたかのような視覚的効果を与えるものとなる。
【考案の効果】
【０００７】
本考案のクリアファイルは、一面側からも見ても他面側からも見ても印刷模様を楽しめるように、多色印刷の上から地印刷が施される裏印刷の手法にて印刷が施されているが、他面シートの上部に突出部分を形成し、該突出部分には地印刷の上に多色印刷が施される通常の印刷が施されている。そのため、この突出部分が前記作用にて説明したように面白い視覚的効果を与える。
【０００８】
また、未使用の状態から書類を収納させる際に、通常のクリアファイルでは端縁を指で開いて書類を収納させるが、本考案のクリアファイルは、指で突出部分を押して一面シートと他面シートとの間を容易に離反させることができる。このように突出部分は、印刷による視覚効果ばかりでなく、書類の収納を容易にするという実用的効果も与えるものである。
【考案を実施するための最良の形態】
【０００９】
本考案のクリアファイルは、透明又は半透明のプラスチックフィルムで形成される一面シートと他面シートとを重ねて、下辺と左右いずれかの側辺を閉塞すると共に、上辺と左右いずれかの側辺を連続した開口部とし、該開口部から書類を収納できるようにした点では、通常のクリアファイルと同様である。
そして、本考案のクリアファイルの特徴は、他面シートの上部が一面側から突出して見えるように大きく形成し、各面のシートの内面には多色印刷の上から隠蔽性を有する地印刷が施されるのに対し、前記突出部分には地印刷の上に多色印刷が施されている構成である。
【００１０】
他面シートの上部（＝突出部分）が一面側から突出して見えるように大きく形成する構成については、突出部分を形成する構成に他ならないものであり、予め一面シートを他面シートよりも小さく形成しておく方法と、一面シートの上部を切除する方法とがあり、特に限定するものではない。後述するように印刷する工程を終えた後に一面シートとの上部を切除する方法を採ることが製造の手順を考慮すると望ましい。
【００１１】
本考案に用いる透明又は半透明なプラスチックフィルムは、透明又は半透明であれば特にその材質や厚み等を限定するものではなく、どのような素材でも用いることができる。また、内面側に印刷を施すため、その密着性を向上するための公知の手段、例えばコロナ処理、アンカー（プライマー）処理などを施すようにしてもよい。
【００１２】
上記のプラスチックフィルムの内面側に施す印刷は、いわゆる裏印刷に相当するものであり、「各面のシートの内面には多色印刷の上から隠蔽性を有する地印刷が施され」ると表記したが、その印刷手段及び印刷インキについては何等限定するものではない。重要なのは、裏印刷が故に、プラスチックフィルムを通して見ることを考慮して製版や印刷を行う必要がある。
【００１３】
これに対し、突出部分に施す印刷は、通常の印刷である表印刷に相当するものであり、「地印刷の上に多色印刷が施されている」と表記したが、その印刷手段及び印刷インキについては何等限定するものではない。
【００１４】
一面シートと他面シートを重ねる以前において、前記の各印刷を完了することが望ましいが、一面シートとなる部分、他面シートとなる部分の殆どにおいて所定の多色印刷を行い、その上に隠蔽性を有する地印刷（ベタ印刷）を行うが、その際に、突出部分にも地印刷（ベタ印刷）を行い、その後に突出部分の多色印刷を行うようにすればよい。
【実施例】
【００１５】
［実施例１］
０．５mm厚みの半透明のＰＰシートの内面側に、ＵＶインキ層が２μmになる多色印刷を施した。
次に、一面シートとなる部分には全面に、他面シートとなる部分には部分的に、隠蔽性を有する隠蔽性を有する白色系インキにて地印刷（ベタ印刷）を施した。
なお、突出部分となる他面シートとなる部分の上部には、前記多色印刷は施していないが、部分的に隠蔽性を有する白色系インキにて地印刷（ベタ印刷）を施した。
さらに、突出部分となる部分の地印刷（ベタ印刷）の上に多色印刷を施した。
乾燥後、定法に準じて一面シートと他面シートを重ねて、下辺をウエルド加工にて閉塞し、図１〜３に示すクリアファイルを作成した。なお、ウエルド加工する前に、一面シートとなる部分の上部を抜き加工すると共に、他面シートの上部（突出部分）の上縁を波状に抜き加工した。
【００１６】
図１（ａ）は、一面側から見たクリアファイル１であって、一面シート２の側縁には半円状の切欠３が形成され、上端から他面シート４の上部（突出部分５）が突出して見えている。図１（ｂ）は他面側から見たクリアファイル１である。
【００１７】
このクリアファイル１の突出部分５における印刷をＡとし、この部分の構造を図３（ａ）に示し、一面シート２における印刷をＢとし、この部分の構造を図３（ｂ）に示し、他面シート４における印刷をＣとし、この部分の構造を図３（ｃ）に示した。
【００１８】
図３（ａ）に示す印刷部分Ａは、他面シート４（突出部分５）の表面に地印刷（ベタ印刷）７が施され、その表面に多色印刷８が施された構造であり、極めて鮮明な印刷画像である。
図３（ｂ）に示す印刷部分Ｂは、一面シート２の裏面に多色印刷８が施され、その裏面に地印刷（ベタ印刷）７が施された構造であり、鮮明な印刷画像ではあるが、前記突出部分５の印刷に比べると一面シート２を通して見る分だけ鮮明さが劣る。
図３（ａ）に示す印刷部分Ｃは、他面シート４の裏面に多色印刷８が施され、その裏面に地印刷（ベタ印刷）７が施された構造であり、鮮明な印刷画像ではあるが、前記突出部分５の印刷に比べると他面シート４を通して見る分だけ鮮明さが劣る。
【００１９】
図２（ａ）は、クリアファイル１に書類６を収納した状態を示すものであり、この状態では、書類６に隠されて他面シート４は全く見えない。
図２（ｂ）は、クリアファイル１から書類６を抜き出す状態を示すものであり、書類５に隠されていた他面シート４が一面シート２を透けて見え出すが、突出部分５の印刷模様Ａが急に現れたかのような視覚的効果を与える。
さらに、クリアファイル１に書類６を収納する際には、指又は書類自体にて突出部分を押して一面シートと他面シートとの間を容易に離反させることができ、書類の収納を容易にできた。
【００２０】
これに対し、図４に示す従来のクリアファイル９は、前記突出部分が存在しないため、前記のような視覚効果もないし、実用的効果もない。
【産業上の利用可能性】
【００２１】
各種のクリアファイルとして用いられる。
【図面の簡単な説明】
【００２２】
【図１】（ａ）本考案のクリアファイルを一面側から見た斜視図、（ｂ）他面側から見た斜視図である。
【図２】（ａ）本考案のクリアファイルに書類を収納した状態を示す斜視図、（ｂ）収納した書類を取り出す状況を示す斜視図である。
【図３】（ａ）Ａ部分の拡大断面図、（ｂ）Ｂ部分の拡大断面図、（ｃ）Ｃ部分の拡大断面図である。
【図４】従来のクリアファイルの斜視図である。
【符号の説明】
【００２３】
１  クリアファイル
２  一面シート
３  切欠
４  他面シート
５  突出部分
６  書類
７  地印刷（ベタ印刷）
８  多色印刷
【図１】
0003144817.tif 000003
【図２】
0003144817.tif 000004
【図３】
0003144817.tif 000005
【図４】
0003144817.tif 000006